(57)【要約】【課題】  着脱可能な外部メモリを取り付け、外部メモリに記憶した音楽データを再生する音楽再生装置において、外部メモリを交換された場合にも、音楽再生機能などを再起動することなく、外部メモリに記憶された音データを出力することを目的とする。【解決手段】  読込部１３０は、外部メモリから一単位の音データを読込み、記憶部１４０は、読込んだ音データを内部記憶装置に記憶する。出力部１５０は、内部記憶装置に記憶した音データを出力する。出力部１５０が音データを出力し終わった場合、判定部１６０は、外部メモリが交換されたか否か判定する。外部メモリが交換されていると上記判定部が判定した場合、指示部１７０は、読込部へ交換後の外部メモリから一単位の音データを読込む指示をする。【選択図】        図２
2007065121.tif 000002
【特許請求の範囲】
【請求項１】
外部メモリを着脱可能に取り付け、外部メモリから音データを読込むメモリリーダを有し、メモリリーダを介して外部メモリが記憶した音データを出力する音出力装置において、
音データの出力指示を入力する入力部と、
上記入力部が音データの出力指示を入力した場合、メモリリーダによって、外部メモリから１ファイルの音データを読込む読込部と、
上記読込部がメモリリーダによって読込んだ音データを内部記憶装置に記憶する記憶部と、
上記記憶部が内部記憶装置に記憶した音データを出力装置により出力し、上記外部メモリが着脱された場合に音データの出力を継続する出力部と
を備えることを特徴とする音出力装置。
【請求項２】
上記音出力装置は、さらに、
音データを上記出力部が出力装置により出力した場合、メモリリーダに取り付けられている外部メモリが交換されたか否か判定する判定部と、
外部メモリが交換されていると上記判定部が判定した場合、読込部へ交換後の外部メモリから最初の１ファイルの音データを読込む指示をする指示部と
を備えることを特徴とする請求項１記載の音出力装置。
【請求項３】
上記指示部は、外部メモリが交換されていないと上記判定部が判定した場合、読込部へ外部メモリから次の１ファイルの音データを読込む指示をする
ことを特徴とする請求項２記載の音出力装置。
【請求項４】
上記音出力装置は、さらに、メモリリーダに外部メモリが取り付けられているか否かを判定する判定部を備え、
上記出力部は、メモリリーダに外部メモリが取り付けられていないと上記判定部が判定した場合、出力した音データを再出力する
ことを特徴とする請求項１記載の音出力装置。
【請求項５】
上記音出力装置は、さらに、
メモリリーダが音データを読込んだ場合、読込んだ音データがメモリリーダに取り付けられている外部メモリの最後の音データであるか否かを判定する判定部と、
最後の音データであると上記判定部が判定した場合、最後の音データであることを外部へ警告する警告部
を備えることを特徴とする請求項１記載の音出力装置。
【請求項６】
複数曲の音楽データが記憶された外部メモリを着脱可能に取り付け、外部メモリから音楽データを読込むメモリリーダを有し、メモリリーダを介して外部メモリが記憶した複数曲の音楽データを所定の順に再生する音楽再生装置において、
音楽データを所定の順に再生する音楽再生指示を入力装置によって入力する入力部と、
上記入力部が音楽再生指示を入力した場合、メモリリーダによって外部メモリから１曲分の音楽データを読込む読込部と、
上記読込部がメモリリーダによって読込んだ１曲分の音楽データを内部記憶装置に記憶する記憶部と、
上記記憶部が内部記憶装置に記憶した１曲分の音楽データを再生する再生部と、
再生部が１曲分の音楽データの再生を終了した場合、メモリリーダに取り付けられている外部メモリが交換されたか否か判定する判定部とを備え、
上記読込部は、
外部メモリが交換されていないと上記判定部が判定した場合、所定の順に従って、次の１曲分の音楽データを読込むとともに、
外部メモリが交換されていると上記判定部が判定した場合、交換後の外部メモリから１曲分の音楽データを読込む
ことを特徴とする音楽再生装置。
【発明の詳細な説明】
【技術分野】
【０００１】
本発明は、着脱可能な外部メモリを取り付け、外部メモリから音データを読込み、出力する音出力装置に関するものである。
【背景技術】
【０００２】
従来は、着脱可能な外部メモリを取り付け、外部メモリに記憶した音楽データを再生する、音楽再生装置があった。
例えば、特開２００１−２８５４１７号公報では、メモリカードに記憶された音楽データを再生させる携帯電話の例がある。しかし、特開２００１−２８５４１７号公報などの従来の音楽再生機能付きの携帯電話では、メモリカードに記憶されたデータを少しずつ携帯電話に読み出しながら音楽再生を行うため、音楽再生中に携帯電話からメモリカードを取り出すと再生を停止してしまう。
【特許文献１】特開２００１−２８５４１７号公報
【発明の開示】
【発明が解決しようとする課題】
【０００３】
従来の音楽再生装置では、メモリカードを取り外すと音楽再生が停止してしまうという課題があった。
本発明の実施の形態は、これらの課題を解決し、メモリカードなどの外部メモリを音楽再生中に取り外した場合にも、音楽再生機能などを再起動することなく、外部メモリに記憶された音楽データを再生することを目的とする。
【課題を解決するための手段】
【０００４】
本発明の実施の形態にかかる音出力装置は、  外部メモリを着脱可能に取り付け、外部メモリから音データを読込むメモリリーダを有し、メモリリーダを介して外部メモリが記憶した音データを出力する音出力装置において、
音データの出力指示を入力する入力部と、上記入力部が音データの出力指示を入力した場合、メモリリーダによって、外部メモリから１ファイルの音データを読込む読込部と、上記読込部がメモリリーダによって読込んだ音データを内部記憶装置に記憶する記憶部と、上記記憶部が内部記憶装置に記憶した音データを出力装置により出力し、上記外部メモリが着脱された場合に音データの出力を継続する出力部とを備えることを特徴とする。
【発明の効果】
【０００５】
本発明の実施の形態にかかる音出力装置は、出力指示が入力された場合、読込部は、外部メモリから１ファイルの音データを読込み、記憶部は、読込部が読込んだ音データを内部記憶装置に記憶する。そして、出力部は、内部記憶装置に記憶した音データを出力する。そのため、音データの出力中に外部メモリが取り外しされた場合にも音データの出力は停止しないようにすることができる。
【発明を実施するための最良の形態】
【０００６】
以下、本発明を図面に示す実施の形態に基づいて説明する。
【０００７】
実施の形態１．
まず、実施の形態１にかかる音出力装置１００のハードウェア構成について図１に基づき説明する。図１は、実施の形態１にかかる音出力装置１００のハードウェア構成の一例を示した図である。
【０００８】
実施の形態１にかかる音出力装置１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、ＬＣＤ（Ｌｉｑｕｉｄ  Ｃｒｙｓｔａｌ  Ｄｉｓｐｌａｙ）９０１、Ｋ／Ｂ（キーボード）９０２、磁気ディスク装置９２０、メモリリーダ１１０、スピーカー９０６と接続されている。
ＣＰＵ９１１は、処理装置の一例である。
ＲＡＭ９１４は、揮発性メモリの一例である。ＲＯＭ９１３、磁気ディスク装置９２０は、不揮発性メモリの一例である。ＲＡＭ９１４、磁気ディスク装置９２０は、内部記憶装置の一例である。
例えば、通信ボード９１５、Ｋ／Ｂ９０２、などは、入力装置の一例である。
また、例えば、通信ボード９１５、スピーカー９０６などは、出力装置の一例である。
また、例えば、ＬＣＤ９０１、などは、表示装置の一例である。
【０００９】
ここで、通信ボード９１５は、ＬＡＮ（Ｌｏｃａｌ  Ａｒｅａ  Ｎｅｔｗｏｒｋ）、無線アンテナ等に接続されている。通信ボード９１５は、ＬＡＮに限らず、直接、インターネット、或いはＩＳＤＮ等のＷＡＮ（ワイドエリアネットワーク）に接続されていても構わない。
磁気ディスク装置９２０には、オペレーティングシステム（ＯＳ）９２１、プログラム群９２２、ファイル群９２３が記憶されている。プログラム群９２２は、ＣＰＵ９１１、ＯＳ９２１により実行される。
【００１０】
上記プログラム群９２２には、後述する実施の形態の説明において「〜部」として説明する機能を実行するプログラムが記憶されている。プログラムは、ＣＰＵ９１１により読み出され実行される。
ファイル群９２３には、後述する実施の形態の説明において、「〜の判定」として説明するものが、「〜ファイル」として記憶されている。
また、後述する実施の形態の説明において説明するフローチャートの矢印の部分は主としてデータの入出力を示し、そのデータの入出力のためにデータは、磁気ディスク装置９２０、光ディスク、ＭＤ（ミニディスク）、等のその他の記録媒体に記録される。あるいは、信号線やその他の伝送媒体により伝送される。
【００１１】
また、後述する実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００１２】
また、後述する実施の形態を実施するプログラムは、また、磁気ディスク装置９２０、光ディスク、ＭＤ（ミニディスク）、等のその他の記録媒体による記録装置を用いて記憶されても構わない。
【００１３】
次に、実施の形態１にかかる音出力装置１００の機能について図２に基づき説明する。図２は、実施の形態１にかかる音出力装置１００の機能を示す機能ブロック図である。
【００１４】
音出力装置１００は、メモリリーダ１１０、入力部１２０、読込部１３０、記憶部１４０、出力部１５０、判定部１６０、指示部１７０を備える。音楽再生装置は、音出力装置１００の一例である。
メモリリーダ１１０は、外部メモリ２００が記憶するデータの読み書きを行う。
入力部１２０は、入力装置によって、音データの出力開始や、出力停止などの指示を入力する。入力部１２０は、例えば、音楽データを所定の順に再生する音楽再生指示を入力装置によって入力する。所定の順とは、外部メモリ２００に記憶されている順や、ユーザの指定する再生順序や、ランダム再生などである。
読込部１３０は、メモリリーダ１１０によって、外部メモリから複数フレームで構成される１ファイルの音データを読込む。１ファイルの音データとは、例えば、１曲分の音楽データである。また、読込部１３０は、入力部１２０が入力した音楽再生指示などの指示に基づいて音データを読込む。
記憶部１４０は、読込部１３０がメモリリーダ１１０によって読込んだ音データを内部記憶装置に記憶する。記憶部１４０は、内部記憶装置に記憶した音データを、後述する出力部１５０が出力後、削除しても構わない。
出力部１５０は、記憶部１４０が内部記憶装置に記憶した音データを出力装置により出力する。出力部１５０は、例えば、スピーカー９０６などから音として出力する。また、出力部１５０は、例えば、ＬＣＤ９０１などの表示装置へ文字データや音符データとして出力しても構わない。再生部は、出力部１５０の一例である。
判定部１６０は、音データを出力部１５０が出力装置により出力した場合、メモリリーダ１１０に取り付けられている外部メモリ２００が交換されたか否か判定する。外部メモリ２００が交換されたことの判定は、外部メモリ２００がメモリリーダ１１０から抜き差しされたことなどにより行う。また、判定部１６０は、メモリリーダ１１０に外部メモリ２００が取り付けられているか否かを判定する。
指示部１７０は、外部メモリ２００が交換されていると判定部１６０が判定した場合、読込部１３０へ交換後の外部メモリ２００から１ファイル目の音データを読込む指示をする。また、指示部１７０は、外部メモリ２００が交換されていないと判定部１６０が判定した場合、読込部１３０へ外部メモリ２００から次の１ファイルの音データを読込む指示をする。
外部メモリ２００は、音のデータを記憶する。音のデータとは、音楽のデータに限らず、雨音、波音などの音に関するデータでも構わない。また、音のデータは、データの形式には限定されず、ＭＰ３（ＭＰＥＧ  Ａｕｄｉｏ  Ｌａｙｅｒ−３）、ＷＡＶなどの他、音波の波形、音符などでも構わない。
【００１５】
次に、実施の形態１にかかる音出力装置１００の動作の概要について図３、図４に基づき説明する。
図３は、外部メモリ２００の一例であるメモリカードＡ２１０とメモリカードＢ２２０とを示した図である。メモリカードＡ２１０は、Ａ１からＡｎまでのｎ曲を順に記憶する。メモリカードＢ２２０は、Ｂ１からＢｍまでのｍ曲を順に記憶する。
図４は、入力部１２０が、入力装置によって、音データの出力開始や、出力停止などの指示を入力するための入力画面の一例である音楽再生起動メニュー２３０を示す図である。
【００１６】
まず、音出力装置１００に、メモリカードＡ２１０が取り付けられているとする。ここで、入力部１２０は、図４に示す、音楽再生起動メニュー２３０から再生開始を入力する。読込部１３０は、入力部１２０の入力した指示に基づき、メモリリーダ１１０を介して、メモリカードＡ２１０の１曲目のデータであるＡ１を読込む。次に、記憶部１４０は、読込部１３０が読込んだＡ１を内部記憶装置に記憶する。次に、出力部１５０は、記憶部１４０が内部記憶装置に記憶したＡ１をスピーカー９０６などから出力する。出力部１５０がＡ１の出力を終了したとき、判定部１６０は、メモリリーダ１１０に取り付けられたメモリカードが交換されているか否かを判定する。そして、指示部１７０は次のように指示する。メモリリーダ１１０にメモリカードＡ２１０が取り付けられたままの場合、読込部１３０は、次の曲であるＡ２を読込み、上記と同様に記憶部１４０はＡ２を内部記憶装置に記憶し、出力する。メモリリーダ１１０にメモリカードＢ２２０が取り付けられている場合、メモリカードＢ２２０の１曲目のデータであるＢ１を読込み、上記と同様に記憶部１４０はＢ１を内部記憶装置に記憶し、出力する。また、メモリリーダ１１０にメモリカードが取り付けられていない場合、出力部１５０は、内部記憶装置に記憶したＡ１を改めて出力する。
【００１７】
次に、実施の形態１にかかる音出力装置１００の動作を図５に基づき説明する。図５は、実施の形態１にかかる音出力装置１００の動作の一例である音楽再生処理を示すフローチャートである。
【００１８】
ステップＳ１０１では、入力部１２０の入力により、表示装置は、起動メニューを表示する。表示装置は、例えば、図４に示す音楽再生起動メニュー２３０を表示する。入力部１２０は、表示された起動メニューに従い、入力をする。ここでは、入力部１２０は、再生開始、終了を選択し、再生開始と合わせてリピートの選択も可能である。
【００１９】
ステップＳ１０２では、判定部１６０は、入力部１２０が終了の指示を入力したか否かを判定する。判定部１６０は、終了の指示を入力したと判定した場合、処理を終了し、終了の指示を入力していないと判定した場合、ステップＳ１０３へ進む。
【００２０】
ステップＳ１０３では、判定部１６０は、入力部１２０が再生開始の指示を入力されたか否かを判定する。判定部１６０は、再生開始の指示を入力されたと判定した場合、ステップＳ１０４へ進み、再生開始の指示を入力されていないと判定した場合、ステップＳ１０２へ戻る。
【００２１】
ステップＳ１０４では、判定部１６０は、メモリリーダ１１０に外部メモリ２００であるメモリカードが取り付けられているか否かを判定する。判定部１６０は、メモリカードが取り付けられていると判定した場合、ステップＳ１０６へ進み、メモリカードが取り付けられていないと判定した場合、ステップＳ１０５へ進む。
【００２２】
ステップＳ１０５では、判定部１６０は、表示装置にエラーメッセージを表示する。
【００２３】
ステップＳ１０６では、読込部１３０は、メモリリーダ１１０に取り付けられているメモリカードの１ファイルの所定の音データを読込む。ここでは、読込部１３０は、１曲目の音楽データを１曲分読込む。
【００２４】
ステップＳ１０７では、記憶部１４０は、読込部１３０が読込んだ音データを内部記憶装置に記憶する。ここでは、記憶部１４０は、１曲分の音楽データを記憶する。
【００２５】
ステップＳ１０８では、出力部１５０は、内部記憶装置に記憶した音データを出力する。ここでは、出力部１５０は、音楽データを再生し、スピーカー９０６などから出力する。
【００２６】
ステップＳ１０９では、判定部１６０は、出力部１５０が１曲分の音データを出力し終わったか否かを判定する。判定部１６０は、出力し終わったと判定した場合、ステップＳ１１０へ進み、出力し終わっていないと判定した場合、ステップＳ１０９の処理を繰り返す。
【００２７】
ステップＳ１１０では、判定部１６０は、メモリリーダ１１０にメモリカードが取り付けられているか否かを判定する。判定部１６０は、メモリカードが取り付けられていると判定した場合、ステップＳ１１１へ進み、メモリカードが取り付けられていないと判定した場合、ステップＳ１０８へ進む。つまり、メモリカードが取り付けられていないと判定部１６０が判定した場合、指示部１７０は、出力した音データを再度出力するように出力部１５０へ指示をする。
【００２８】
ステップＳ１１１では、判定部１６０は、メモリリーダ１１０に取り付けられているメモリカードが交換されているか否かを判定する。判定部１６０は、メモリカードが交換されていると判定した場合、ステップＳ１０６へ戻り、メモリカードが交換されていないと判定した場合、ステップＳ１１２へ進む。
つまり、メモリカードが交換されていると判定部１６０が判定した場合、指示部１７０は、読込部１３０へ交換後のメモリカードの１ファイルの所定の音データを読込む指示をする。そして、読込部１３０は、交換後のメモリカードの１ファイルの所定の音データを読込む。指示部１７０は、例えば、読込部１３０へ交換後のメモリカードの１曲目の音楽データを１曲分読込む指示をする。
メモリカードが交換されているか否かは、例えば、メモリカードがメモリリーダ１１０から抜き差しされたか否かにより判断される。したがって、同じメモリカードを抜いて差した場合、指示部１７０は、同じメモリカードの１ファイルの所定の音データを読込む指示をする。つまり、指示部１７０は、同じメモリカードの１曲目の音楽データを１曲分読込む指示をする。
【００２９】
ステップＳ１１２では、判定部１６０は、出力部１５０が出力した音データがメモリリーダ１１０に取り付けられているメモリカードが記憶する最後の音データであったか否かを判定する。ここでは、判定部１６０は、メモリカードが記憶する最後の曲であったか否かを判定する。判定部１６０は、最後の音データであったと判定した場合、ステップＳ１１４へ進み、最後の音データでなかったと判定した場合、ステップＳ１１３へ進む。
【００３０】
ステップＳ１１３では、読込部１３０は、メモリリーダ１１０に取り付けられているメモリカードの１ファイルの音データを所定の順に基づき読込む。読込部１３０は、例えば、出力した曲の次に記憶されている音楽データを１曲分読込む。つまり、最後の音データでなかったと判定部１６０が判定した場合、指示部１７０は、読込部１３０へ次の１ファイルの音データを読込む指示をする。
【００３１】
ステップＳ１１４では、判定部１６０は、入力部１２０が再生開始の入力と合わせて、リピートの選択をしたか否かを判定する。判定部１６０は、リピートの選択をしたと判定した場合、ステップＳ１０６へ進み、リピートの選択をしていないと判定した場合、ステップＳ１０１へ進む。つまり、リピートの選択をしている場合、指示部１７０は、読込部１３０へ初めに読込んだ音データを改めて読込む指示をする。一方、リピートの選択をしていない場合、音データの出力を止め、表示装置は起動メニューを表示する。
【００３２】
ステップＳ１０６、ステップＳ１１３で新たに音データを読込む場合、併せて内部記憶装置に記憶している音データを削除しても構わない。内部記憶装置に記憶している音データを削除する処理は、ステップＳ１０６、ステップＳ１１３に限られず、他のステップで処理しても構わない。
【００３３】
ここで、ステップＳ１０６は、読込ステップである。ステップＳ１０７は、記憶ステップである。ステップＳ１０８は、出力ステップである。ステップＳ１０９からステップＳ１１２、ステップＳ１１４は、判定ステップおよび指示ステップである。
【００３４】
実施の形態１では、外部メモリ２００の音データを再生するときに、１曲分のデータをＲＡＭ９１４に記憶するので、音楽再生中の外部メモリ２００を脱着することによって再生を停止しないようにすることができる。したがって、外部メモリ２００の交換による音楽再生機能操作の再起動が必要なくなる。ユーザにとっては小容量の複数の外部メモリ２００に記録された音楽データであっても大容量の外部メモリ２００と同等に音楽再生機能操作は１回で済むことになる。また、この場合に音出力装置１００は、１曲分の容量の内部記憶装置を備えていれば足りる。
【００３５】
上述した音出力装置１００は、携帯電話に備えられていても構わない。また、上述した音出力装置１００は、携帯電話であっても構わない。
【００３６】
実施の形態２．
実施の形態２では、外部メモリ２００が記憶する音データが最後の音データであることを通知する機能を持った音出力装置について説明する。
【００３７】
実施の形態２にかかる音出力装置１００のハードウェア構成は、実施の形態１と同様である。
【００３８】
実施の形態２にかかる音出力装置１００の機能について図６に基づき説明する。図６は、実施の形態２にかかる音出力装置１００の機能を示す機能ブロック図である。実施の形態２にかかる音出力装置１００の機能について、実施の形態１にかかる音出力装置１００の機能と相違する部分についてのみ説明する。
【００３９】
実施の形態２にかかる音出力装置１００は、実施の形態１にかかる音出力装置１００に加え、警告部１８０を備える。
判定部１６０は、読込部１３０がメモリリーダ１１０によって音データを読込んだ場合、読込んだ音データがメモリリーダ１１０に取り付けられている外部メモリ２００の最後の音データであるか否かを判定する。例えば、図３に示すメモリカードＡ２１０から読込部１３０がメモリリーダ１１０によってｎ曲目の音データであるＡｎを読込んだ場合、判定部１６０は、Ａｎが最後の音データであると判定する。このとき、判定部１６０は、例えば、外部メモリ２００に記憶されている音データのタイムスタンプの比較を行い、タイムスタンプが最新の音データであれば最後の音データであると判定する。また、判定部１６０は、タイムスタンプが最古の音データであれば最後の音データであると判定しても構わない。また、判定部１６０は、入力部１２０により入力された音データの出力順と読み込んだ音データのインデックス情報を比較し、インデックス情報が出力順の最後の音データであった場合、最後の音データであると判定しても構わない。
警告部１８０は、最後の音データであると判定部１６０が判定した場合、最後の音データであることを外部へ警告する。警告部１８０は、例えば、表示装置に警告を表示することや、スピーカー９０６などの出力装置に警告を出力することなどにより警告する。
【００４０】
次に、実施の形態２にかかる音出力装置１００の動作を図７に基づき説明する。図７は、実施の形態２にかかる音出力装置１００の動作の一例である音楽再生処理を示すフローチャートである。
【００４１】
ステップＳ１０１からステップＳ１１４までは、実施の形態１と同様である。つまり、実施の形態２においては、ステップＳ１１５とステップＳ１１６とが追加されている。
【００４２】
ステップＳ１１５では、判定部１６０は、読込部１３０がメモリリーダ１１０によって音データを読込んだ場合、読込んだ音データがメモリリーダ１１０に取り付けられている外部メモリ２００の最後の音データであるか否かを判定する。判定部１６０は、最後の音データであると判定した場合、ステップＳ１１６へ進み、最後の音データでないと判定した場合、ステップＳ１０８へ進む。
【００４３】
ステップＳ１１６では、警告部１８０は、表示装置に警告を表示することや、スピーカー９０６などの出力装置に警告を出力することなどにより最後の音データであることを外部へ警告する。
【００４４】
実施の形態２では、メモリリーダ１１０に取り付けられた外部メモリ２００が記憶する最後の音データであることを、最後の音データの出力が終了する前に知ることができる。したがって、最後の音データの出力中にメモリリーダ１１０に取り付けられた外部メモリ２００を交換することができる。また、実施の形態１で説明したように、音データの出力中に外部メモリ２００を交換しても、音データの出力が停止してしまうことはなく、自動的に交換後の外部メモリ２００が記憶する音データを出力することが可能である。
【図面の簡単な説明】
【００４５】
【図１】実施の形態１にかかる音出力装置１００のハードウェア構成の一例を示した図である。
【図２】実施の形態１にかかる音出力装置１００の機能を示す機能ブロック図である。
【図３】外部メモリ２００の一例であるメモリカードＡ２１０とメモリカードＢ２２０とを示した図である。
【図４】入力部１２０が、入力装置によって、音データの出力開始や、出力停止などの指示を入力するための入力画面の一例である音楽再生起動メニュー２３０を示す図である。
【図５】実施の形態１にかかる音出力装置１００の動作の一例である音楽再生処理を示すフローチャートである。
【図６】実施の形態２にかかる音出力装置１００の機能を示す機能ブロック図である。
【図７】実施の形態２にかかる音出力装置１００の動作の一例である音楽再生処理を示すフローチャートである。
【符号の説明】
【００４６】
１００  音出力装置、１１０  メモリリーダ、１２０  入力部、１３０  読込部、１４０  記憶部、１５０  出力部、１６０  判定部、１７０  指示部、１８０  警告部、２００  外部メモリ、２１０  メモリカードＡ、２２０  メモリカードＢ、２３０  音楽再生起動メニュー、９０１  ＬＣＤ、９０２  Ｋ／Ｂ、９０６  スピーカー、９１１  ＣＰＵ、９１２  バス、９１３  ＲＯＭ、９１４  ＲＡＭ、９１５  通信ボード、９２０  磁気ディスク装置、９２１  ＯＳ、９２２  プログラム群、９２３  ファイル群。
【図１】
2007065121.tif 000003
【図２】
2007065121.tif 000004
【図３】
2007065121.tif 000005
【図４】
2007065121.tif 000006
【図５】
2007065121.tif 000007
【図６】
2007065121.tif 000008
【図７】
2007065121.tif 000009